(57)【要約】【課題】磁気ストライプに記録されている記録信号を、磁気ストライプを備えたカード又は通帳の厚みに関わらず正しく読み取ることができる磁気ストライプ読取装置を提供する。【解決手段】カード又は種々の厚さの通帳に貼付された磁気ストライプの記録情報を読み取る磁気ストライプ読取装置であって、前記磁気ストライプの記録情報を検出して電気信号に変換する磁気ヘッドと、前記カード又は通帳を前記磁気ヘッド方向に押圧して、前記磁気ストライプが前記磁気ヘッドと接触する接触圧を高める押圧手段と、前記磁気ヘッドが検出した電気信号を記録情報に変換して記憶媒体に記録する電気回路と、を備える。【選択図】図２
0003135574.tif 000002
【実用新案登録請求の範囲】
【請求項１】
カード又は種々の厚さの通帳に貼付された磁気ストライプの記録情報を読み取る磁気ストライプ読取装置であって、
前記磁気ストライプの記録情報を検出して電気信号に変換する磁気ヘッドと、
前記カード又は通帳を前記磁気ヘッド方向に押圧して、前記磁気ストライプが前記磁気ヘッドと接触する接触圧を高める押圧手段と、
前記磁気ヘッドが検出した電気信号を記録情報に変換して記憶媒体に記録する電気回路と、
を備えたことを特徴とする磁気ストライプ読取装置。
【請求項２】
前記押圧手段は、前記カード又は通帳と前記磁気ストライプが貼付されていない方の面において接触する複数の押圧球と、前記複数の押圧球の各々を押圧する複数の押圧バネとを備え、前記複数の押圧バネの各々が対応する前記押圧球を前記磁気ヘッド方向に押圧し、これを受けた前記押圧球の各々が、前記カード又は通帳を前記磁気ヘッド方向に押圧するように構成されたものであることを特徴とする請求項１に記載の磁気ストライプ読取装置。
【請求項３】
前記押圧バネは、スプリングバネ又は板バネであることを特徴とする請求項２に記載の磁気ストライプ読取装置。
【請求項４】
前記押圧球は、鋼を範疇に含む金属、若しくは軟質の合成樹脂で構成されていることを特徴とする請求項２に記載の磁気ストライプ読取装置。
【請求項５】
前記押圧バネは、金属又は硬質の合成樹脂を素材とするバネ材で構成されていることを特徴とする請求項１又２に記載の磁気ストライプ読取装置。
【請求項６】
前記電気回路は、前記記録情報を、直接、若しくは外部の記録装置を介して、記録媒体に記録することを特徴とする請求項１に記載の磁気ストライプ読取装置。
【請求項７】
請求項１乃至７の何れかの項に記載の磁気ストライプ読取装置によって磁気ストライプの記録情報が読み取られる磁気ストライプ通帳又は手帳。
【請求項８】
請求項１乃至７の何れかの項に記載の磁気ストライプ読取装置によって磁気ストライプの記録情報が読み取られる磁気カード。
【考案の詳細な説明】
【技術分野】
【０００１】
本考案は、磁気ストライプ読取装置に係り、特に、各種カードや通帳に搭載された磁気ストライプから記録された情報を読み取るための磁気ストライプ読取装置に関するものである。
【背景技術】
【０００２】
通常、磁気ストライプ読取装置は、キャッシュカード等の各種カード及び通帳に搭載された磁気ストライプから、記録された情報を読み取るために用いられている。
【０００３】
磁気ストライプ読取装置は、その読み取り用の磁気ヘッドに各種カードや通帳に搭載された磁気ストライプが直接触れることで、記録された情報を正しく読み取ることができる。そのため、磁気ヘッドを磁気ストライプに直接接触させるための様々な提案がこれまでになされている。
【０００４】
例えば、特許文献１には、磁気ストライプが搭載されたカードをスライドさせるスライド溝とスライド案内板を設け、このスライド溝の上方から挿入された磁気カードをスライド案内板に当接させながら当該磁気カードを下方向へスライドさせる構成の磁気カード読取り装置が開示されている。
【０００５】
しかしながら、この特許文献１記載の磁気カード読取り装置では磁気カードがスライド案内板を通過した時に、勢い余って壁面を傷つけてしまう恐れがある。そこで、特許文献２にはこの問題点を解決するために、スライド案内板の上端を壁面よりも所定寸法だけ前方に配置し、かつスライド案内板を、壁面に対して所定角度で前方へ傾斜させると共に、突出部の壁面からの突出量を上記所定角度に対応したサイズに形成する磁気カード読取り装置が開示されている。
【特許文献１】特開２００１−１４３０１２号公報
【特許文献２】特開２００４−２９５７５７号公報
【考案の開示】
【考案が解決しようとする課題】
【０００６】
しかしながら、従来の磁気ストライプ読取装置は、磁気ストライプを搭載した各種カードや通帳の形状や読み取るべき磁気ストライプの位置が規格化されていないため、それぞれ個別に対応する読取装置が必要になるという問題があった。
【０００７】
特に、プラスチック等からなるカードと小冊子の通帳とでは、その厚みを両者共通に規格化するのは困難である。そのため、厚みの厚い通帳用の磁気ストライプ読取装置を用いて厚みの薄いカードの磁気ストライプを読み取ろうとしても、磁気ストライプ読取装置の磁気ヘッドとカードに搭載された磁気ストライプとの間に間隙が生じてしまうため、従来の磁気ストライプ読取装置では正しく情報を読み取れず、結果としてそれぞれに対応する磁気ストライプ読取装置が必要であった。
【０００８】
なお、特許文献１，２に記載の磁気カード読取り装置は、厚み等が所定の規格の磁気カードに関する技術のため、上記の問題点には対応できなかった。
【０００９】
本考案は、上記従来の問題点に鑑みて、カード又は通帳の磁気ストライプに記録されている記録信号を、カード又は通帳の厚みに関わらず正しく読み取ることができる磁気ストライプ読取装置を提供することを目的としている。
【００１０】
本考案の他の目的は、通帳の磁気ストライプの記録位置を、カードの磁気ストライプの記録位置と同じ位置とすることにより、カードと通帳とで兼用することができる磁気ストライプ読取装置を提供することにある。
【課題を解決するための手段】
【００１１】
上記課題を解決するために、本考案に係る磁気ストライプ読取装置は、カード又は種々の厚さの通帳に貼付された磁気ストライプの記録情報を読み取る磁気ストライプ読取装置であって、前記磁気ストライプの記録情報を検出して電気信号に変換する磁気ヘッドと、前記カード又は通帳を前記磁気ヘッド方向に押圧して、前記磁気ストライプが前記磁気ヘッドと接触する接触圧を高める押圧手段と、前記磁気ヘッドが検出した電気信号を記録情報に変換して記憶媒体に記録する電気回路と、を備えたことを特徴とする磁気ストライプ読取装置を提供するものである。
【００１２】
このように構成したので、カード又は通帳の磁気ストライプは、読み取り時に、適当な接触圧でもって磁気ヘッドと接触するので、カード又は通帳の厚みにばらつきが存在する場合にも、磁気ストライプに記録されている記録信号は、常に正しく読み取ることができる磁気ストライプ読取装置を実現することができる。
【００１３】
ここで、前記磁気ストライプ読取装置において、前記押圧手段は、前記カード又は通帳と前記磁気ストライプが貼付されていない方の面において接触する複数の押圧球と、前記複数の押圧球の各々を押圧する複数の押圧バネとを備え、前記複数の押圧バネの各々が対応する前記押圧球を前記磁気ヘッド方向に押圧し、これを受けた前記押圧球の各々が、前記カード又は通帳を前記磁気ヘッド方向に押圧するように構成されたものであることを特徴とする。
【００１４】
このように構成したので、カード又は通帳の磁気ストライプと磁気ヘッドとの接触圧を高める構成を、簡単な手段で確実に実現することができる磁気ストライプ読取装置を実現することができる。
【００１５】
また、前記磁気ストライプ読取装置において、前記押圧バネは、スプリングバネ又は板バネであることを特徴とする。
【００１６】
また、前記磁気ストライプ読取装置において、前記押圧球は、鋼を範疇に含む金属、若しくは軟質の合成樹脂で構成されていることを特徴とする。
【００１７】
また、前記磁気ストライプ読取装置において、前記押圧バネは、金属又は硬質の合成樹脂を素材とするバネ材で構成されていることを特徴とする。
【００１８】
さらに、前記磁気ストライプ読取装置において、前記電気回路は、前記記録情報を、直接、若しくは外部の記録装置を介して、記録媒体に記録することを特徴とする。
【００１９】
また、本考案に係る磁気ストライプ通帳は、請求項１乃至７の何れかの項に記載の磁気ストライプ読取装置によって磁気ストライプの記録情報が読み取られるものである。
【００２０】
さらに、本考案に係る磁気カードは、請求項１乃至７の何れかの項に記載の磁気ストライプ読取装置によって磁気ストライプの記録情報が読み取られるものである。
【考案の効果】
【００２１】
本考案の磁気ストライプ読取装置によれば、カード又は通帳の磁気ストライプを、読み取りの際に適当な接触圧で磁気ヘッドと接触させるため、カードや通帳の厚みが一定に規格化されていない場合であっても、磁気ストライプの記録情報を常に正しく読み取ることができる。
【００２２】
ゆえに、磁気ストライプの搭載位置（上端からの距離）だけを予め規格化しておけば、各種カードや通帳等、形状が異なっていても、磁気ストライプ読取装置を兼用することができる。
【考案を実施するための最良の形態】
【００２３】
以下、本考案の磁気ストライプ読取装置の実施形態について、図面を参照して詳細に説明する。
【００２４】
図１は、本考案に係る磁気ストライプ読取装置の外観と全体的な構成を示す模式図である。
この図に示すように、磁気ストライプ読取装置１００は、中央部に溝１３０を有する略凹字形状をしており、この溝１３０に磁気ストライプを搭載したカード（磁気カード）又は通帳（磁気通帳）２００を挟み、図中の矢印で示された方向にスライドさせることによって磁気ストライプに記録された情報を読み取るものである。
【００２５】
ここで、本考案の磁気ストライプ読取装置によって読み取られる対象は、磁気カード、ICチップを搭載した磁気カード、銀行や郵便局等の金融機関が発行する通帳類、磁気ストライプが貼られた年金手帳、診療記録若しくは投薬記録が印字記録された手帳又は通帳等の冊子状印刷物であり、その厚さが１ミリメートル程度から１０ミリメートル以上のものまでが対象となる。
【００２６】
また、磁気ストライプ読取装置１００は、磁気ヘッドを備え磁気ストライプの記録情報を読み取って記録又は送信する機械部及び電気回路（図８参照）が内蔵されたヘッド部筐体１１０と、磁気カード又は磁気通帳２００を磁気ストライプに接触させるための押圧手段を備える支持部筐体１２０からなる。
【００２７】
図２は、本考案の磁気ストライプ読取装置の機械部の構成を示す図であり、図２（ａ）はその断面模式図、図２（ｂ）は図２（ａ）のＡ−Ａ矢視図である。
図２（ａ）において、１１１はヘッド部筐体１１０に設けられる磁気ヘッド、１２１は支持部筐体１２０に設けられる、磁気カード又は磁気通帳２００に当接しそのスライドを容易にする押圧球１２２とその押圧球１２２を介して磁気カード又は磁気通帳２００を磁気ヘッド１１１方向に押圧する押圧バネ１２３からなる押圧手段である。
【００２８】
この図に示すように、押圧手段１２１は、押圧バネ１２３がその弾性力により押圧球１２２を磁気ヘッド１１１方向に押圧することで、押圧球１２２が磁気カード又は磁気通帳２００の側面を同方向に押圧し、磁気カード又は磁気通帳２００に搭載された磁気ストライプ２０１を磁気ヘッド１１１に接触させる。押圧球１２２は、支持部筐体１２０から一部露出した状態で回転可能に配設されているため、磁気カード又は磁気通帳２００を容易にスライドさせることができる。
【００２９】
押圧球１２２は、図２（ｂ）に示すように、磁気カード又は磁気通帳２００のスライド方向に沿うように複数配置する。ここでは、上下二段に渡って合計５個の押圧球１２２ａ〜１２２ｅを設ける例を示している。このように複数配置することで、磁気カード又は磁気通帳２００が磁気ストライプ読取装置１００の溝１３０を通過する間、その磁気ストライプ２０１を浮かせることなく安定して磁気ヘッド１１１に接触させることができる。
【００３０】
押圧球１２２は、鋼等の金属又は軟質の合成樹脂で構成する。また、押圧バネ１２３は、金属又は硬質の合成樹脂を素材とするバネ材で構成する。
【００３１】
図３は、本考案に係る磁気ストライプ読取装置で記録情報を読み取る磁気カードを示す模式図であり、図３（ａ）は標準的な磁気カードの一例、図３（ｂ）は他の磁気カードの一例を示している。
【００３２】
図３（ａ）に示す磁気カード２１１Ａでは、帯状の磁気ストライプ２１２Ａが幅方向全体に配置（貼付もしくは埋込）されている。磁気ストライプ２１２Ａの位置（上端からの垂直距離）は予め規定されているものとする。
【００３３】
図３（ｂ）に示す磁気カード２１１Ｂでは、帯状の磁気ストライプ２１２Ｂが幅方向の一部に渡って配置（貼付もしくは埋込）されている。磁気ストライプ２１２Ｂの位置（上端からの垂直距離）も図３（ｂ）と同様予め規定されているものとする。
【００３４】
図４は、本考案に係る磁気ストライプ読取装置で記録情報を読み取る磁気通帳を示す模式図であり、図４（ａ）はその表面、図４（ｂ）はその裏面を示している。
これらの図に示すように、磁気通帳（ここでは薬歴通帳）２２１の裏面には、帯状の磁気ストライプ２２２が幅方向の一部に渡って設けられている。磁気ストライプ２２２の位置（上端からの垂直距離）は予め規定されているものとする。
【００３５】
図５は、図３（ａ）に示した磁気カードと図４に示した磁気通帳における磁気ストライプの位置を説明する模式図である。
これらの図に示すように、磁気通帳２２１の磁気ストライプ２２２の位置を、磁気カード２１１Ａの磁気ストライプ２１２Ａの位置と揃えることにより、本考案の磁気ストライプ読取装置を磁気カードと磁気通帳で兼用することができる。具体的には、磁気ストライプ２１２Ａ，２２２を、磁気カード２１１Ａ及び磁気通帳２２１の上端から予め決められた垂直距離に配置することにより兼用化を実現する。
【００３６】
図６は、本考案の磁気ストライプ読取装置に係る押圧手段の詳細な構成を示す模式図であり、図６（ａ）はその一例、図６（ｂ）は他の一例を示す。
なお、図６（ａ−１）はその一例の断面模式図、図６（ａ−２）はその一例の正面模式図、図６（ｂ−１）はその他の一例の断面模式図、図６（ｂ−２）はその他の一例の正面模式図である。
【００３７】
まず、図６（ａ）では、押圧手段１２１の押圧球１２２を把持するため、支持部筐体１２０に把持爪１２０Ａが設けられている。このように構成することにより、押圧球１２２は脱落することなく回転可能に支持される。
【００３８】
また、図６（ｂ）に示すように、押圧手段１２１の押圧球１２２を把持するために、支持部筐体１２０に把持部１２０Ｂを設けてもよい。この把持部１２０Ｂによる開口の径は押圧球１２２の直径より小さいため、押圧球１２２は脱落することなく回転可能に支持される。
【００３９】
この把持爪１２０Ａ、把持部１２０Ｂは、ポリエチレン等の軟質の合成樹脂からなるスポンジ素材や、ゴム等から形成し、押圧球１２２の押圧動作を妨げないようにする。
【００４０】
なお、図２及び図６において、押圧バネ１２３をコイルバネとしたが、本考案では弾性力の作用を有するものであれば何を使用してもよく、例えば板バネを用いてもよい。
【００４１】
図７は、本考案の磁気ストライプ読取装置の押圧手段における押圧バネに板バネを用いた例を示す模式図である。
この図に示すように、支持部筐体１２０において、押圧手段１２１の押圧球１２２を押圧するバネとして、板バネ１２４を用いてもよい。
【００４２】
図８は、本考案に係る磁気ストライプ読取装置の回路構成を示す回路図であり、図８（ａ）はその一例、図８（ｂ）は他の一例を示している。
【００４３】
まず、図８（ａ）に示す回路構成では、磁気ヘッド１１１が磁気カード又は磁気通帳２００の磁気ストライプ２０１から検出したアナログの電気信号は、Ａ／Ｄ変換部１０１に入力され、Ａ／Ｄ変換部１０１においてデジタルの記録信号に変換され、ＭＰＵ（Ｍｉｃｒｏ  Ｐｒｏｃｅｓｓｉｎｇ  Ｕｎｉｔ）１０２に入力される。ＭＰＵ１０２は、この記録信号を内部コードに変換し、更に、この内部コードに変換された記録信号が記録用の情報となるように変調して、記録部１０３に送出し、記録部１０３において記録媒体に記録される。
【００４４】
図８（ｂ）に示す回路構成では、ＭＰＵ１０２は、前述の記録信号を記録用の情報に変調して、送信部１０４に送出し、この送信部１０４において外部の記録装置に送信する。
【００４５】
なお、本実施形態では、押圧球１２２に回転軸を設けず、自由回転とさせたが、押圧球１２２に回転軸を設け、押圧バネ１２３がこの回転軸の両端に磁気ヘッド１１１方向への押圧を加えるように構成することも可能である。
【００４６】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００４７】
本考案は、磁気ストライプ読取装置に係り、特に、各種カードや通帳に搭載された磁気ストライプから記録された情報を読み取るための磁気ストライプ読取装置に関するものであり、産業上の利用可能性を有する。
【図面の簡単な説明】
【００４８】
【図１】本考案に係る磁気ストライプ読取装置の外観と全体的な構成を示す模式図である。
【図２】本考案の磁気ストライプ読取装置の機械部の構成を示す図である。
【図３】本考案に係る磁気ストライプ読取装置で記録情報を読み取る磁気カードを示す模式図である。
【図４】本考案に係る磁気ストライプ読取装置で記録情報を読み取る磁気通帳を示す模式図である。
【図５】図３（ａ）に示した磁気カードと図４に示した磁気通帳における磁気ストライプの位置を説明する模式図である。
【図６】本考案の磁気ストライプ読取装置に係る押圧手段の詳細な構成を示す模式図である。
【図７】本考案の磁気ストライプ読取装置の押圧手段における押圧バネに板バネを用いた例を示す模式図である。
【図８】本考案に係る磁気ストライプ読取装置の回路構成を示す回路図である。
【符号の説明】
【００４９】
１００  磁気ストライプ読取装置
１０１  Ａ／Ｄ変換部
１０２  ＭＰＵ（処理ユニット）
１０３  記録部
１０４  送信部
１１０  ヘッド部筐体
１１１  磁気ヘッド
１２０  支持部筐体
１２０Ａ  把持爪
１２０Ｂ  把持部
１２１  押圧手段
１２２、１２２ａ〜１２２ｅ  押圧球
１２３  押圧バネ
１２４  板バネ
１３０  溝
２００  磁気カード又は磁気通帳
２０１  磁気ストライプ
２１１Ａ、２１１Ｂ  磁気カード
２１２Ａ、２１２Ｂ、２２２  磁気ストライプ
２２１  磁気通帳（ここでは薬歴通帳）
【図１】
0003135574.tif 000003
【図２】
0003135574.tif 000004
【図３】
0003135574.tif 000005
【図４】
0003135574.tif 000006
【図５】
0003135574.tif 000007
【図６】
0003135574.tif 000008
【図７】
0003135574.tif 000009
【図８】
0003135574.tif 000010